(57)【特許請求の範囲】
【請求項１】
筆記面と、
前記筆記面の情報を読み取って画像データを生成する読取手段と、
画像を印刷媒体に印刷する印刷手段と、
記憶媒体を着脱可能な着脱部と、
前記読取手段によって生成される画像データの出力指示の入力を受け付ける指示受付手段と、
前記指示受付手段によって前記出力指示が受け付けられ、かつ前記着脱部に前記記憶媒体が装着されていない場合に、前記読取手段によって生成された画像データが示す画像を第１サイズで前記印刷手段に印刷させる第１出力制御手段と、
前記指示受付手段によって前記出力指示が受け付けられ、かつ前記着脱部に前記記憶媒体が装着されている場合に、前記読取手段によって生成された画像データが示す画像を前記第１サイズよりも小さい第２サイズで前記印刷手段に印刷させるとともに、同画像データを前記記憶媒体に出力する第２出力制御手段と、
を備えていることを特徴とする電子黒板。
【請求項２】
前記印刷手段は、所定幅の連続紙を所定方向に搬送しつつ、前記画像データが示す画像を前記連続紙に熱転写するサーマルプリンタであることを特徴とする請求項１に記載の電子黒板。
【請求項３】
前記連続紙の搬送方向における前記第２サイズの印刷幅は、前記搬送方向における前記第１サイズの印刷幅よりも短いことを特徴とする請求項２に記載の電子黒板。
【請求項４】
前記連続紙の幅は、所定規格に準拠するＡ４サイズの短手方向幅と一致し、
前記第１サイズは、その短手方向を前記連続紙の幅方向と一致させた前記規格に準拠するＡ４サイズであり、
前記第２サイズは、その長手方向を前記連続紙の幅方向と一致させた前記規格に準拠するＡ５サイズであることを特徴とする請求項３に記載の電子黒板。
【請求項５】
前記記憶媒体は、ＵＳＢコネクタを有するＵＳＢメモリであり、
前記着脱部は、前記ＵＳＢコネクタを着脱可能なＵＳＢポートであることを特徴とする請求項１乃至４のうちいずれか１に記載の電子黒板。
【請求項６】
筆記面と、この筆記面の情報を読み取って画像データを生成する読取部と、画像を印刷媒体に印刷する印刷部と、記憶媒体を着脱可能な着脱部と、前記読取部によって生成される画像データの出力指示の入力を受け付ける指示受付部とを備える電子黒板の制御プログラムであって、
前記電子黒板に、
前記指示受付部によって前記出力指示が受け付けられ、かつ前記着脱部に前記記憶媒体が装着されていない場合に、前記読取部によって生成された画像データが示す画像を第１サイズで前記印刷部に印刷させる第１出力制御機能と、
前記指示受付部によって前記出力指示が受け付けられ、かつ前記着脱部に前記記憶媒体が装着されている場合に、前記読取部によって生成された画像データが示す画像を前記第１サイズよりも小さい第２サイズで前記印刷部に印刷させるとともに、同画像データを前記記憶媒体に出力する第２出力制御機能と、
を実現させるための制御プログラム。
【発明の詳細な説明】
【技術分野】
【０００１】
本発明の実施形態は、筆記面に筆記された文字や図形等を画像データとして取り込んで印刷する電子黒板およびその制御プログラムに関する。
【背景技術】
【０００２】
従来、筆記面に筆記された文字や図形等を光学的に読み取って画像データを生成し、生成した画像データをプリンタに出力して印刷媒体に印刷させる電子黒板が普及している。
【０００３】
近年、パーソナルコンピュータや電子メールの活用が増えたことにより、電子黒板の出力を紙媒体ではなく電子データとして残したいとの要望があった。これに鑑み、持ち運びが容易なＵＳＢメモリ等の外付け記憶媒体を装着するためのインタフェースと、筆記面に筆記された文字や図形を読み取って生成した画像データを前記インタフェースに装着された記憶媒体に出力する機能とを有する電子黒板が開発されている。
【先行技術文献】
【特許文献】
【０００４】
【特許文献１】特開２００８−１３１４９９号公報
【発明の概要】
【発明が解決しようとする課題】
【０００５】
上記のように外付け記憶媒体に画像データを出力した場合、そのデータが示す画像は、パーソナルコンピュータのような情報処理装置を用いなければ確認することができない。すなわち、電子黒板から画像データを外付け記憶媒体に出力した直後は、同データの書き込み失敗や、同データが示す画像のかすれの有無等を知ることができない。
【０００６】
通常、電子黒板と画像データが示す画像を表示可能な情報処理装置とは別部屋に配置されていることが多いため、画像データが示す画像を確認する前に電子黒板の筆記面に筆記された情報が消去されることが多い。したがって、外付け記憶媒体への画像データの書き込みが失敗している場合などには、電子黒板に筆記された内容が分からなくなってしまう。
【０００７】
また、画像のかすれに対処する一つの方法としては、電子黒板に画像データが示す画像を表示するための液晶表示器を設け、画像データを生成した時点でその内容を確認できるようにすることが考えられる。しかし、大画面の液晶表示器を設ければその設置スペースや製造コストが問題となるし、小画面の液晶表示器を設ければ画像の細部を確認することが困難となる。
【０００８】
また、画像データを外付け記憶媒体に出力した時点で同データが示す画像を印刷するようにすれば、外付け記憶媒体への書き込み成否に関わらず、筆記面に筆記された内容を紙媒体で残すことができるし、画像のかすれを確認することができる。しかしながら、外付け記憶媒体に画像データを出力する場合にまで通常通り紙媒体に画像を印刷すれば、印刷媒体やインク等の消耗品が無駄に消費されることになる。
【０００９】
これらの事情から、製造コストや消耗品の消費量の増加を抑えつつも、筆記面に筆記された内容を画像データとして外付け記憶媒体に出力する際に同データが示す画像を容易に確認できる電子黒板の開発が望まれていた。
【課題を解決するための手段】
【００１０】
一実施形態における電子黒板は、筆記面と、読取手段と、印刷手段と、着脱部と、指示受付手段と、第１出力制御手段と、第２出力制御手段と、を備えている。  
前記読取手段は、前記筆記面の情報を読み取って画像データを生成する。前記印刷手段は、画像を印刷媒体に印刷する。前記着脱部には、記憶媒体が着脱される。前記指示受付手段は、前記読取手段によって生成される画像データの出力指示の入力を受け付ける。前記第１出力制御手段は、前記指示受付手段によって前記出力指示が受け付けられ、かつ前記着脱部に前記記憶媒体が装着されていない場合に、前記読取手段によって生成された画像データが示す画像を第１サイズで前記印刷手段に印刷させる。前記第２出力制御手段は、前記指示受付手段によって前記出力指示が受け付けられ、かつ前記着脱部に前記記憶媒体が装着されている場合に、前記読取手段によって生成された画像データが示す画像を前記第１サイズよりも小さい第２サイズで前記印刷手段に印刷させるとともに、同画像データを前記記憶媒体に出力する。
【００１１】
また、一実施形態における制御プログラムは、筆記面と、この筆記面の情報を読み取って画像データを生成する読取部と、画像を印刷媒体に印刷する印刷部と、記憶媒体を着脱可能な着脱部と、前記読取部によって生成される画像データの出力指示の入力を受け付ける指示受付部とを備える電子黒板の制御プログラムであって、前記電子黒板に、第１出力制御機能と、第２出力制御機能と、を実現させる。  
前記第１出力制御機能は、前記指示受付部によって前記出力指示が受け付けられ、かつ前記着脱部に前記記憶媒体が装着されていない場合に、前記読取部によって生成された画像データが示す画像を第１サイズで前記印刷部に印刷させる機能である。前記第２出力制御機能は、前記指示受付部によって前記出力指示が受け付けられ、かつ前記着脱部に前記記憶媒体が装着されている場合に、前記読取部によって生成された画像データが示す画像を前記第１サイズよりも小さい第２サイズで前記印刷部に印刷させるとともに、同画像データを前記記憶媒体に出力する機能である。
【図面の簡単な説明】
【００１２】
【図１】一実施形態における電子黒板の外観斜視図。
【図２】同電子黒板が備える操作パネルを示す図。
【図３】同電子黒板が備える電源スイッチおよびＵＳＢポートを示す図。
【図４】同電子黒板の内部構造を概略的に示す平面図。
【図５】同電子黒板の内部構造を概略的に示す正面図。
【図６】同電子黒板が備えるサーマルプリンタの概略構成を示す模式図。
【図７】同電子黒板の制御回路を示すブロック図。
【図８】同電子黒板の制御部が実行する処理のフローチャート。
【図９】同処理における第１サイズの印刷結果の一例を示す模式図。
【図１０】同処理における第２サイズの印刷結果の一例を示す模式図。
【発明を実施するための形態】
【００１３】
以下、一実施形態について、図面を参照しながら説明する。  
なお、以下の説明において、同一の構成要素には同一の符号を付し、重複説明は必要な場合にのみ行う。
【００１４】
［外観構成］  
図１は、本実施形態における電子黒板１の外観斜視図である。  
この電子黒板１は、一対のスタンド２ａ，２ｂによって長方形枠状のフレーム３を支持して構成されている。フレーム３は、例えばポリエチレン製の環状のシート４を収納している。このシート４におけるフレーム３の前面側の開口部から外部に露出した部分が、マーカーペン等の筆記具によって文字や図形等が筆記される筆記面４ａとなる。また、フレーム３のスタンド２ｂ側下方には、ＣＣＤラインセンサ１５（図４及び図５参照）によって読み取られた画像を印刷媒体に印刷して発行するためのサーマルプリンタ５（印刷手段）が設けられている。
【００１５】
フレーム３の下縁部には、手前側に向けて突出する下側棚部６が設けられている。この下側棚部６には、マーカーペン等の筆記具や筆記面４ａに筆記された文字等を摺動動作で消去するクリーナ等が置かれる。
【００１６】
また、フレーム３のスタンド２ｂ側縁部には、電子黒板１を操作するための各種操作キーを有する操作パネル７（指示受付手段）が設けられている。この操作パネル７は、図２に示したように、ＬＥＤ表示部７０１、シートフィードボタン７０２、濃度調整ボタン７０３、および出力ボタン７０４を備えている。ＬＥＤ表示部７０１は、少なくとも３つの色彩が表現可能となるように複数のＬＥＤで構成されている。そしてこれら複数のＬＥＤを選択的に点灯させ、電源オン、待機状態、用紙切れの３つのステータスを報知する。シートフィードボタン７０２は、シート４を例えば図１におけるスタンド２ｂ側からスタンド２ａ側へと送るためのボタンである。濃度調整ボタン７０３は、筆記面４ａに筆記された文字等の読み取り濃度を変更するためのボタンである。出力ボタン７０４は、読み取った画像データの出力を指示するためのボタンである。
【００１７】
また、フレーム３のスタンド２ｂ側下角部には、図３に示したように手前側に突出した突出部３ａが形成されており、この突出部３ａには電子黒板１への電源供給をオン／オフするための電源スイッチ８と、ＵＳＢメモリ１００のＵＳＢコネクタ１０１を着脱可能なＵＳＢポート９（着脱部）とが設けられている。なお、ＵＳＢポート９には、ＵＳＢメモリ１００の他にもＵＳＢコネクタを有するフロッピー（登録商標）ディスクドライブ、ＣＤ−Ｒドライブ、ＤＶＤ−Ｒドライブ、ハードディスクドライブなど、各種の外付け記憶装置を接続可能である。
【００１８】
［内部構成］  
図４は電子黒板１の内部構造を概略的に示す平面図であり、図５は電子黒板１の内部構造を概略的に示す正面図である。  
フレーム３内の左右両端部には、シート４を回転して搬送させる一対のローラ１０ａ，１０ｂが設けられている。ローラ１０ａ，１０ｂは、フレーム３の左右側縁と略平行な軸心を有するもので、ローラ１０ａ，１０ｂ間には環状のシート４が掛け渡されている。また、ローラ１０ａ，１０ｂのうちいずれか一方には、図示しないベルト伝動機構を介してシートフィード（ＳＦ）モータ２５（図７参照）が連結されている。そして、ＳＦモータ２５が駆動されると前記ベルト伝動機構を介してローラ１０ａ，１０ｂが回転し、シート４が左右方向に回転搬送される。
【００１９】
また、シート４の筆記面４ａのすぐ背後には、筆記面４ａに対する筆記性を確保するための筆記ボード１１が配設されている。
【００２０】
そして、筆記ボード１１を挟んだ筆記面４ａの反対側には、シート４の搬送方向に略直行する方向に長尺な蛍光灯１２およびミラー１３と、レンズ１４と、ＣＣＤラインセンサ１５とが設けられている。シート４に筆記された文字等を読み取る際には、蛍光灯１２がシート４に可視光を照射し、シート４からの反射光がミラー１３を介してレンズ１４に送られ、ＣＣＤラインセンサ１５の受光面に集光される。このときＣＣＤラインセンサ１５から、受光面によって受光された可視光に応じてミラー１３の長尺方向に沿う１ライン分の電気信号が出力される。
【００２１】
なお、蛍光灯１２、ミラー１３、レンズ１４、ＣＣＤラインセンサ１５、および後述の画像処理部２４（図７参照）は、シート４の情報を読み取って画像データを生成する読取手段を構成する。前記シート４の情報には、シート４に筆記された文字等だけでなく、何ら筆記されていない余白面も含まれる。またこのシート４が何も記載されていない白紙の状態であっても、本実施形態に定義する読取る情報に含まれる。
【００２２】
［サーマルプリンタ］  
次に、サーマルプリンタ５の構成について説明する。  
図６は、サーマルプリンタ５の概略構成を示す模式図である。  
サーマルプリンタ５は、ライン状に配列された多数の発熱素子を有するサーマルヘッド５１と、回転可能に支持されたプラテンローラ５２と、プラテンローラ５２を回転させる搬送モータ５３とを備えている。また、サーマルプリンタ５内の所定位置には、連続紙である印刷媒体５４を軸心５５に巻回してなる印刷媒体ロール５６が、軸心５５を中心にして回転可能にセットされている。なお、本実施形態における印刷媒体５４は、熱が加えられた部分が発色する感熱紙であり、その幅ＷはＪＩＳ規格およびＩＳＯ−２１６に準拠したＡ４サイズ（２１０ｍｍ×２９７ｍｍ）の短手方向幅（２１０ｍｍ）に統一されている。感熱紙を使用しない場合には、熱転写用のインクリボンを印刷媒体５４と共に搬送する機構を設ければよい。
【００２３】
サーマルヘッド５１は、図示せぬ弾性部材に付勢されて、印刷媒体５４を介してプラテンローラ５２に押し当てられている。プラテンローラ５２と搬送モータ５３との間には環状のベルト５７が掛け渡されており、搬送モータ５３が回転するとベルト５７と共にプラテンローラ５２が回転し、印刷媒体５４が直線矢印で図示する搬送方向に搬送される。この印刷媒体５４の搬送に合わせてサーマルヘッド５１の各発熱素子を選択的に駆動することで、印刷媒体５４に印刷パターンが形成される。印刷媒体５４の印刷パターンが形成された部分は、サーマルプリンタ５の筐体面に設けられた排紙口から排紙される。このように排紙された部分を切り離す方法としては、ユーザが手動で切り離す方法を採用してもよいし、電気制御により動作するカッタ機構を設けて該機構が自動で切り離す方法を採用してもよい。
【００２４】
［制御回路］  
次に、電子黒板１の制御回路について説明する。  
図７は、電子黒板１の制御回路を示すブロック図である。  
この制御回路は、制御部２０、ＲＯＭ（Read Only Memory）２１、ＲＡＭ（Random Access Memory）２２、蛍光灯点灯回路２３、画像処理部２４、ＳＦモータ２５、電源ユニット２６、前記サーマルプリンタ５、前記操作パネル７、前記電源スイッチ８、前記ＵＳＢポート９、前記蛍光灯１２、および前記ＣＣＤラインセンサ１５等で構成されている。
【００２５】
ＲＯＭ２１は、電子黒板１の動作プログラムや各種デフォルト設定値等の固定的データを記憶している。ＲＡＭ２２は、電子黒板１の処理場面に応じて各種の作業用記憶領域を形成する。
【００２６】
蛍光灯点灯回路２３は、シート４に筆記された文字等を読み取る際に蛍光灯１２に通電し、蛍光灯１２を点灯させる。既述のように、蛍光灯１２が点灯するとシート４からの反射光がレンズ１４等を介してＣＣＤラインセンサ１５に集光され、ＣＣＤラインセンサ１５が受光した可視光に応じた電気信号を出力する。
【００２７】
画像処理部２４は、ＣＣＤラインセンサ１５から出力されるライン毎の電気信号をＡ／Ｄ変換してデジタルデータを生成し、このデジタルデータを複数ライン分組み合わせて１つの画像データを生成する。
【００２８】
電源ユニット２６は、電源スイッチ８が電源オンの状態に切り替えられたことに応じて商用交流電源等の外部電源３０から動作電力を取り込み、当該制御回路を構成する各部に供給する。
【００２９】
ＵＳＢポート９にＵＳＢメモリ１００のＵＳＢコネクタ１０１が接続されると、ＵＳＢメモリ１００にＵＳＢポート９を介して電源ユニット２６から動作電力が供給される。ＵＳＢメモリ１００は、この動作電力を受けて内臓メモリへのデータの書き込みおよび読み出しを行う。また、ＵＳＢポート９は、ＵＳＢメモリ１００への電力供給の有無を監視し、電力が供給されていないときに値を「０」とした接続ステータスを制御部２０に通知し、電力が供給されているときに値を「１」とした接続ステータスを制御部２０に通知する機能を有している。
【００３０】
制御部２０は、当該制御回路を構成する各部の基本的な動作を制御する機能の他、本実施形態における特徴的な機能として、第１出力制御機能２０１と、第２出力制御機能２０２とを実現する。  
第１出力制御機能２０１は、出力ボタン７０４が操作され、かつＵＳＢポート９にＵＳＢメモリ１００が装着されていない場合に、画像処理部２４によって生成された画像データが示す画像を第１サイズ（Ａ４サイズ）でサーマルプリンタ５に印刷させる機能である。
【００３１】
第２出力制御機能２０２は、出力ボタン７０４が操作され、かつＵＳＢポート９にＵＳＢメモリ１００が装着されている場合に、画像処理部２４によって生成された画像データが示す画像を前記第１サイズよりも小さい第２サイズ（Ａ５サイズ）でサーマルプリンタ５に印刷させるとともに、同画像データをＵＳＢポート９を介してＵＳＢメモリ１００に出力する機能である。
【００３２】
［動作］  
上記のような構成の電子黒板１の動作について説明する。  
電源スイッチ８が電源オンの状態に切り替えられ、電源ユニット２６から動作電力の供給が開始されると、制御部２０は、ＲＯＭ２１に記憶された動作プログラムを読み込んで実行し、図８に示したフローチャートに沿って動作する。
【００３３】
すなわち、先ず制御部２０は、各部の起動処理を実行する（ステップＳ１）。具体的には、サーマルプリンタ５や画像処理部２４を始めとする各部の初期化や、異常診断等を行う。
【００３４】
各部の初期化および異常診断が完了すると、制御部２０は、操作パネル７が操作されたか否かを判定する（ステップＳ２）。この処理は、操作パネル７が操作されるまで継続される（ステップＳ２のＮｏ）。やがて操作パネル７が操作されると（ステップＳ２のＹｅｓ）、制御部２０は、当該操作による指示内容を判定する（ステップＳ３）。
【００３５】
ステップＳ２の処理における操作が出力ボタン７０４の操作である場合、制御部２０は、当該操作が画像データの出力であると判定する（ステップＳ３の「画像データ出力」）。このとき、制御部２０は、筆記面４ａに筆記された文字等を画像データとして取り込む（ステップＳ４）。具体的には、蛍光灯点灯回路２３に蛍光灯１２を点灯させ、ＳＦモータ２５を回転させてシート４を搬送させるとともに、画像処理部２４に画像データの生成を指示する。この指示を受けた画像処理部２４は、ＣＣＤラインセンサ１５から出力されるライン毎の電気信号をデジタルデータに変換していく。ＳＦモータ２５は、画像処理部２４が出力ボタン７０４操作時点の筆記面４ａの最後端のラインに対応するデジタルデータを取得し終えるまで回転する。そして、画像処理部２４は、ＳＦモータ２５が停止するまでに取得した全てのデジタルデータをライン順に組み合わせて１つの画像データを生成し、制御部２０に出力する。制御部２０は、このようにして取り込まれた画像データをＲＡＭ２２に一時記憶する。
【００３６】
上記のようにして画像データの取り込みが完了すると、制御部２０は、ＵＳＢポート９にＵＳＢメモリ１００が装着されているか否かを判定する（ステップＳ５）。この判定は、ＵＳＢポート９から通知される接続ステータスに基づいてなされる。
【００３７】
ＵＳＢポート９から通知される接続ステータスが「０」である場合、制御部２０は、ＵＳＢポート９にＵＳＢメモリ１００が装着されていないと判定し（ステップＳ５のＮｏ）、第１出力制御機能２０１による画像データの出力を行う。すなわち、ステップＳ４の処理において取り込んだ画像データが示す画像を、サーマルプリンタ５にＡ４サイズで印刷させる（ステップＳ６）。
【００３８】
図９は、このとき印刷媒体５４に印刷された画像の一例を示す模式図である。この例は、筆記面４ａに「ＡＢＣ」なる文字列をシート４の搬送方向に横並びで筆記した場合に印刷される画像を示している。図中の一点鎖線で示す印刷範囲Ｘは、ＪＩＳ規格およびＩＳＯ−２１６に準拠したＡ４サイズ（２１０ｍｍ×２９７ｍｍ）に対応するもので、その短手方向幅（２１０ｍｍ）は印刷媒体５４の幅Ｗと略一致する。この印刷範囲Ｘ内に、印刷媒体５４の幅方向（直線矢印で図示した搬送方向と直交する方向）を上下方向として、「ＡＢＣ」なる文字列が印刷されている。
【００３９】
一方、ステップＳ５の処理において、ＵＳＢポート９から通知される接続ステータスが「１」である場合、制御部２０は、ＵＳＢポート９にＵＳＢメモリ１００が装着されていると判定し（ステップＳ５のＹｅｓ）、第２出力制御機能２０２による画像データの出力を行う。すなわち、ステップＳ４の処理において取り込んだ画像データが示す画像を、サーマルプリンタ５にＡ５サイズで印刷させ（ステップＳ７）、かつ同画像データをＵＳＢメモリ１００に出力する（ステップＳ８）。このとき出力された画像データは、ＵＳＢメモリ１００の内蔵メモリに記憶される。
【００４０】
図１０は、ステップＳ７の処理にて印刷媒体５４に印刷された画像の一例を示す模式図である。この例は、図９を用いて説明したものと同様に、筆記面４ａに「ＡＢＣ」なる文字列をシート４の搬送方向に横並びで筆記した場合に印刷される画像を示している。図中の一点鎖線で示す印刷範囲Ｙは、ＪＩＳ規格およびＩＳＯ−２１６に準拠したＡ５サイズ（１４８ｍｍ×２１０ｍｍ）に対応するもので、その長手方向幅（２１０ｍｍ）は印刷媒体５４の幅Ｗと略一致する。この印刷範囲Ｙ内に、実線矢印で図示した印刷媒体５４の搬送方向を上下方向として、「ＡＢＣ」なる文字列が印刷されている。
【００４１】
ステップＳ６、またはステップＳ７およびＳ８の処理において画像データを出力し終えると、制御部２０は、ステップＳ２の処理に戻って操作パネル７に対する次の操作を待つ。
【００４２】
なお、ステップＳ２の処理における操作が出力ボタン７０４以外の操作である場合（ステップＳ３の「その他」）、制御部２０は、当該指示に応じた処理を実行する（ステップＳ９）。すなわち、シートフィードボタン７０２の操作によりシート４のフィードが指示されている場合には、ＳＦモータ２５を回転させてシート４を所定距離だけ搬送する。また、濃度調整ボタン７０３の操作により読み取り濃度の変更が指示された場合には、同ボタン７０３が操作された回数だけ読み取り濃度を濃くし、その設定をＲＡＭ２２等に記憶する。このように読み取り濃度が変更された場合、ステップＳ４の処理において画像処理部２４はデフォルト時よりも濃度を高めた画像データを生成する。このように、指示に応じた処理を実行した後、制御部２０は、ステップＳ２の処理に戻って操作パネル７に対する次の操作を待つ。
【００４３】
以上説明したように、本実施形態における電子黒板１は、画像データの出力が指示された際に、ＵＳＢポート９にＵＳＢメモリ１００が装着されていない場合には画像データが示す画像を第１サイズでサーマルプリンタ５に印刷させ、ＵＳＢポート９にＵＳＢメモリ１００が装着されている場合には画像データが示す画像を第１サイズよりも小さい第２サイズでサーマルプリンタ５に印刷させるとともに同画像データをＵＳＢメモリ１００に出力する。このような構成であれば、ＵＳＢメモリ１００が装着されている場合には筆記面４ａへの筆記内容を電子データと紙媒体の双方で得ることができる。したがって、液晶表示器等の高価な構成を追加することなく、ＵＳＢメモリ１００への画像データ出力時に同データが示す画像を確認することができる。しかも、ＵＳＢメモリ１００に画像データを出力する場合には、印刷のみ行う場合よりも小さいサイズで画像データが示す画像が印刷されるので、印刷媒体の節約になる。
【００４４】
具体的には印刷に連続紙である印刷媒体５４を使用し、印刷媒体５４の搬送方向における第２サイズの印刷幅を、同方向における第１サイズの印刷幅よりも短くしている。このように、１つの連続紙を用いて第１，第２サイズ双方の印刷を行うようにしたので、サーマルプリンタ５の機構を簡便なものにすることができる。
【００４５】
また、連続紙である印刷媒体５４の幅をＡ４サイズの短手方向幅（２１０ｍｍ）とし、第１サイズはその短手方向を印刷媒体５４の幅方向と一致させたＡ４サイズとし、第２サイズはその長手方向を印刷媒体５４の幅方向と一致させたＡ５サイズとしている。このようにすれば、第１サイズと第２サイズの縦横比が略一致するので、例えば普段は紙媒体への印刷のみを頻繁に利用する者がＵＳＢメモリ１００への出力を行った場合であっても、第２サイズの画像が見易いものとなる。
【００４６】
また、１つの出力ボタン７０４を操作することによって自動的に第１出力制御機能２０１と第２出力制御機能２０２とが使い分けられるので、電子黒板１の操作が非常に簡単なものとなる。
【００４７】
［変形例］
なお、前記実施形態に開示された構成は、実施段階において各構成要素を適宜変形して具体化できる。具体的な変形例としては、例えば次のようなものがある。
【００４８】
（１）前記実施形態では、印刷手段としてサーマルプリンタを採用した場合を例示した。しかしながら、インクジェットプリンタやレーザプリンタ等、他種のプリンタを採用してもよい。その場合であっても、ＵＳＢメモリ１００への画像データの出力時に同データが示す画像を確認できるし、印刷媒体も節約できる。
【００４９】
（２）前記実施形態では、第１出力制御機能２０１および第２出力制御機能２０２による印刷の双方において、共通の印刷媒体５４を使用する場合を例示した。しかしながら、サーマルプリンタ５に代えて幅が異なる２通りの印刷媒体を同時にセットでき、それらの使い分けが可能なプリンタを採用し、第１サイズでの印刷時に使用する印刷媒体と第２サイズでの印刷時に使用する印刷媒体とを適宜切り替えるようにしてもよい。このようにした場合であっても、第２サイズ用の印刷媒体を第１サイズ用の印刷媒体よりも小サイズにしておけば印刷媒体を節約できる。
【００５０】
（３）前記実施形態では、第１サイズとしてＪＩＳ規格およびＩＳＯ−２１６に準拠したＡ４サイズ、第２サイズとしてＪＩＳ規格およびＩＳＯ−２１６に準拠したＡ５サイズを採用した場合を例示した。しかしながら、第１サイズおよび第２サイズとしては他のサイズを用いてもよい。例えば、印刷媒体５４としてその幅がＪＩＳ規格に準拠したＢ４サイズ（２５７ｍｍ×３６４ｍｍ）の短手方向幅（２５７ｍｍ）と一致する連続紙を使用し、第１サイズでの印刷時にはその短手方向を印刷媒体５４の幅方向と一致させたＪＩＳ規格に準拠するＢ４サイズで印刷し、第２サイズでの印刷時にはその長手方向を印刷媒体５４の幅方向と一致させたＪＩＳ規格に準拠するＢ５サイズ（１８２ｍｍ×２５７ｍｍ）で印刷してもよい。その他、第１サイズの縦横比をユーザが任意に設定した比率で縮小したものを第２サイズとして採用してもよい。
【００５１】
（４）また、ステップＳ８の処理においてＵＳＢメモリ１００に出力される画像データが示す画像の縦横比は、ステップＳ７の処理において印刷される画像の縦横比と一致するように調整してもよい。このようにすれば、ＵＳＢメモリ１００に出力される画像データが示す画像、第１サイズ、および第２サイズの縦横比が統一され、ユーザにとって画像データが示す画像や印刷された画像が見易いものとなる。
【００５２】
この他、前記実施形態に示される全構成要素から幾つかの構成要素を削除してもよいし、異なる実施形態にわたる構成要素を適宜組み合わせてもよい。
【符号の説明】
【００５３】
１…電子黒板、４ａ…筆記面、５…サーマルプリンタ、７…操作パネル、９…ＵＳＢポート、１５…ＣＣＤラインセンサ、２０…制御部、２４…画像処理部、２５…ＳＦモータ、１００…ＵＳＢメモリ、２０１…第１出力制御機能、２０２…第２出力制御機能、Ｘ…印刷範囲、Ｙ…印刷範囲
【図１】
0005165029.tif 000002
【図２】
0005165029.tif 000003
【図３】
0005165029.tif 000004
【図４】
0005165029.tif 000005
【図５】
0005165029.tif 000006
【図６】
0005165029.tif 000007
【図７】
0005165029.tif 000008
【図８】
0005165029.tif 000009
【図９】
0005165029.tif 000010
【図１０】
0005165029.tif 000011